(57)【要約】【課題】ノズル形成面の撥液膜の劣化を抑制することが可能なノズルプレート、液体噴射ヘッド、液体噴射装置、ノズルプレートのメンテナンス方法、液体噴射ヘッドのメンテナンス方法、及び、液体噴射装置のメンテナンス方法を提供する。【解決手段】液体が噴射されるノズル開口（３０）が形成されたノズル形成面（２３）を有するノズルプレート（２４）であって、ノズル開口が形成されたノズル形成領域に含まれ、ノズル形成領域よりノズル形成面を払拭する払拭部材による払拭方向側に液体に含まれる固形成分を捕捉するトラップ構造（５１，７５，７６，７９）が設けられたことを特徴とする。【選択図】図５
2019025768.tif 000002
【特許請求の範囲】
【請求項１】
液体が噴射されるノズル開口が形成されたノズル形成面を有するノズルプレートであって、
前記ノズル開口はノズル形成領域に含まれ、
前記ノズル形成領域より前記ノズル形成面を払拭する払拭部材による払拭方向側に前記液体に含まれる固形成分を捕捉するトラップ構造が設けられたことを特徴とするノズルプレート。
【請求項２】
前記トラップ構造は、前記払拭方向に交差する方向に延在する溝であることを特徴とする請求項１に記載のノズルプレート。
【請求項３】
前記溝が、複数並設されていることを特徴とする請求項２に記載のノズルプレート。
【請求項４】
前記トラップ構造は、複数の凹部が並設されてなる凹部群であることを特徴とする請求項１に記載のノズルプレート。
【請求項５】
前記凹部群が、前記払拭方向に複数並設されていることを特徴とする請求項４に記載のノズルプレート。
【請求項６】
前記トラップ構造は、開口部内に多孔質部材が充填されて構成されたことを特徴とする請求項１に記載のノズルプレート。
【請求項７】
前記トラップ構造が備えるトラップ孔の大きさが、前記固形成分の大きさよりも大きく、尚且つ、前記払拭部材を構成する繊維素材の繊維の太さよりも小さいことを特徴とする請求項１から請求項６の何れか一項に記載のノズルプレート。
【請求項８】
前記トラップ孔の大きさｄの平均値をμｄ、前記トラップ孔の大きさｄの標準偏差をσｄとし、前記固形成分の大きさａの最大値をＭｘａとしたとき、
Ｍｘａ＜μｄ−２σｄ
を満たすことを特徴とする請求項７に記載のノズルプレート。
【請求項９】
前記トラップ孔の大きさｄの平均値をμｄ、前記トラップ孔の大きさｄの標準偏差をσｄとし、前記固形成分の大きさａの最大値をＭｘａとしたとき、
Ｍｘａ＜μｄ−３σｄ
を満たすことを特徴とする請求項７に記載のノズルプレート。
【請求項１０】
前記繊維の大きさｆの平均値をμｆ、前記繊維の大きさｆの標準偏差をσｆとしたとき、
μｄ＋２σｄ＜μｆ−２σｆ
を満たすことを特徴とする請求項８又は請求項９に記載のノズルプレート。
【請求項１１】
前記繊維の大きさｆの平均値をμｆ、前記繊維の大きさｆの標準偏差をσｆとしたとき、
μｄ＋３σｄ＜μｆ−３σｆ
を満たすことを特徴とする請求項８又は請求項９に記載のノズルプレート。
【請求項１２】
請求項１から請求項１１の何れか一項に記載のノズルプレートを備えることを特徴とする液体噴射ヘッド。
【請求項１３】
前記ノズルプレートを囲う開口を有する外周材と前記ノズルプレートとの間に充填材が充填され、
前記充填材に前記トラップ構造が設けられたことを特徴とする請求項１２に記載の液体噴射ヘッド。
【請求項１４】
請求項１２又は請求項１３に記載の液体噴射ヘッドと、
前記液体噴射ヘッドの前記ノズル形成面を払拭する払拭機構と、
前記トラップ構造における前記液体又は前記液体に含まれる固形成分を吸引する吸引機構と、
を備えることを特徴とする液体噴射装置。
【請求項１５】
請求項１から請求項１１の何れか一項に記載のノズルプレートのメンテナンス方法であって、
前記ノズル形成面を払拭部材により払拭して当該ノズル形成面に付着していた液体及び当該液体に含まれる固形成分を前記トラップ構造に導いて当該トラップ構造が有するトラップ孔に捕捉させ、
前記トラップ構造における前記液体又は前記液体に含まれる固形成分を吸引することを特徴とするノズルプレートのメンテナンス方法。
【請求項１６】
請求項１２又は請求項１３に記載の液体噴射ヘッドのメンテナンス方法であって、
前記ノズル形成面を払拭部材により払拭して当該ノズル形成面に付着していた液体及び当該液体に含まれる固形成分を前記トラップ構造に導いて当該トラップ構造が有するトラップ孔に捕捉させ、
前記トラップ構造における前記液体又は前記液体に含まれる固形成分を吸引することを特徴とする液体噴射ヘッドのメンテナンス方法。
【請求項１７】
請求項１４に記載の液体噴射装置のメンテナンス方法であって、
前記ノズル形成面を前記払拭部材により払拭して当該ノズル形成面に付着していた液体及び当該液体に含まれる固形成分を前記トラップ構造に導いて当該トラップ構造が有するトラップ孔に捕捉させ、
前記トラップ構造を含む領域における前記液体又は前記液体に含まれる固形成分を吸引することを特徴とする液体噴射装置のメンテナンス方法。
【発明の詳細な説明】
【技術分野】
【０００１】
本発明は、例えばインクジェット式記録ヘッド等の液体噴射ヘッドのノズルプレート、これを備える液体噴射ヘッド、液体噴射装置、ノズルプレートのメンテナンス方法、液体噴射ヘッドのメンテナンス方法、及び、液体噴射装置のメンテナンス方法に関するものである。
【背景技術】
【０００２】
液体噴射装置は液体噴射ヘッドを備え、この液体噴射ヘッドから各種の液体を噴射（吐出）する装置である。この液体噴射装置の代表的なものとして、例えば、液体噴射ヘッドとしてのインクジェット式記録ヘッド（以下、単に記録ヘッドという）を備え、この記録ヘッドから着弾対象としての記録紙等の記録媒体に対して液体状のインクを液滴として噴射・着弾させてドットを形成することで画像等の記録を行うインクジェット式記録装置（以下、単にプリンターという）等の画像記録装置を挙げることができる。この液体噴射装置は、近年においては、画像記録装置に限らず、例えばディスプレイ製造装置等の各種の製造装置にも応用されている。
【０００３】
液体噴射ヘッドを搭載した液体噴射装置では、ノズルから噴射された液体が当該ノズル形成面に付着して汚染されることがあるため、ノズル形成面を払拭する払拭機構が設けられている。例えば、特許文献１には、液滴吐出ヘッドのノズルプレートのノズル形成面（吐出面）を払拭する払拭機構としてワイピングブレードを備えたワイピング手段が設けられている。また、上記のような液体噴射ヘッドでは、ノズル形成面の払拭性向上の観点から、ノズル形成面には撥液膜が形成されていることが一般的であり、当該ノズル形成面の撥液性が高められている。ところが、ノズル形成面に液体が付着した場合、ノズル形成面において液体が次第に凝集して、当該液体に含まれる顔料等の固形成分の凝集物を生じさせることがある。このような凝集物が生じた状態で、何らの対策することなく払拭部材でノズル形成面を払拭した場合、凝集物がノズル形成面を摺動することにより撥液膜を傷つけやすい。特に、固形成分として酸化チタン等の比較的硬質な成分を含む液体を噴射する用途に液体噴射ヘッドが使用される場合、このような硬い凝集物（固形成分）をノズル形成面上で引きずることでノズル形成面上の撥液膜に傷がついて次第に摩耗し、撥液性が劣化するという問題があった。特許文献１の構成では、ワイピング手段によるノズル形成面の払拭（ワイピング）時にノズル形成面に付着したインク（液状体）を溜めるための溝部がノズルプレートのノズル形成面に設けられている。この特許文献１では、ワイピング手段の払拭方向に沿った溝や、払拭方向に傾斜する方向に沿った溝を連結させることで、ワイピングの際に溝部によって液状体をノズルから離れた位置に導くように構成されている。
【先行技術文献】
【特許文献】
【０００４】
【特許文献１】特開２００６−２５５９２４号公報
【発明の概要】
【発明が解決しようとする課題】
【０００５】
しかしながら、上記特許文献１の構成では、液状体をノズルから離れた位置に導くために払拭方向に沿った溝部を要するため、ノズルプレートが大型化し、これに伴い、ヘッドユニットも大型化してしまう。また、ワイピング手段による払拭を繰り返すことにより、溝部に残った固形成分が、再度ノズル側に引きずり出されて当該固形成分によりノズル形成面上の撥液膜が傷つけられてしまうおそれがあった。
【０００６】
本発明は、このような事情に鑑みてなされたものであり、その目的は、ノズル形成面の撥液膜の劣化を抑制することが可能なノズルプレート、液体噴射ヘッド、液体噴射装置、ノズルプレートのメンテナンス方法、液体噴射ヘッドのメンテナンス方法、及び、液体噴射装置のメンテナンス方法を提供することにある。
【課題を解決するための手段】
【０００７】
本発明は、上記目的を達成するために提案されたものであり、液体が噴射されるノズル開口が形成されたノズル形成面を有するノズルプレートであって、
前記ノズル開口はノズル形成領域に含まれ、
前記ノズル形成領域より前記ノズル形成面を払拭する払拭部材による払拭方向側に前記液体に含まれる固形成分を捕捉するトラップ構造が設けられたことを特徴とする。
【０００８】
本発明によれば、ノズル形成領域よりも払拭方向側に外れた領域に、液体に含まれる固形成分を捕捉するトラップ構造が設けられたので、払拭部材によるノズル形成面の払拭時にノズル形成面にある液体に含まれる固形成分がトラップ構造に捕捉される。これにより、ノズル形成面が清浄に保たれるので、固形成分によりノズル形成面の撥液膜が傷つけられて摩耗することによる撥液性の低下が抑制される。
【０００９】
上記構成において、前記トラップ構造は、前記払拭方向に交差する方向に延在する溝である構成を採用することができる。
【００１０】
この構成によれば、トラップ構造が払拭方向に交差する方向に延在する溝からなるので、ノズル形成面上のトラップ構造が設けられる領域が払拭方向において大きくなることが抑制される。このため、トラップ構造を設けることによるノズル形成面、すなわち、ノズルプレートの大型化が抑制される。その結果、本発明のノズルプレートを備える液体噴射ヘッドの小型化に寄与することが可能となる。
【００１１】
また、上記構成において、前記溝が、複数並設されている構成を採用することが望ましい。
【００１２】
この構成によれば、複数並設された溝により、より多くの固形成分を捕捉することが可能となる。
【００１３】
上記構成において、前記トラップ構造は、複数の凹部が並設されてなる凹部群である構成を採用することができる。
【００１４】
この構成によれば、トラップ構造が複数の凹部が並設されてなる凹部群から構成されるので、ノズル形成面上のトラップ構造が設けられる領域が払拭方向において大きくなることが抑制される。このため、トラップ構造を設けることによるノズル形成面、すなわち、ノズルプレートの大型化が抑制される。その結果、本発明のノズルプレートを備える液体噴射ヘッドの小型化に寄与することが可能となる。
【００１５】
また、上記構成において、前記凹部群が、前記払拭方向に複数並設されている構成を採用することが望ましい。
【００１６】
この構成によれば、複数並設された凹部群により、より多くの固形成分を捕捉することが可能となる。
【００１７】
また、上記構成において、前記トラップ構造は、開口部内に多孔質部材が充填されてなる構成を採用することも可能である。
【００１８】
上記各構成において、前記トラップ構造が備えるトラップ孔の大きさが、前記固形成分の大きさよりも大きく、尚且つ、前記払拭部材を構成する繊維素材の繊維の太さよりも小さい構成を採用することが望ましい。
【００１９】
この構成によれば、払拭部材による払拭動作（ワイピング動作）時において、ノズル形成面に付着した液体の固形成分を、トラップ構造のトラップ孔により確実に捕捉させることが可能となる。また、払拭部材を構成する繊維素材の繊維がトラップ孔に入り込みにくいため、トラップ孔に一旦捕捉された固形成分が払拭部材の繊維により当該トラップ孔から掻き取られてノズル形成面側に再度運ばれてしまうことが抑制される。
【００２０】
上記構成において、前記トラップ孔の大きさｄの平均値をμｄ、前記トラップ孔の大きさｄの標準偏差をσｄとし、前記固形成分の大きさａの最大値をＭｘａとしたとき、
Ｍｘａ＜μｄ−２σｄ
を満たすことが望ましい。
【００２１】
この構成によれば、トラップ孔の大きさがばらついたとしても、固形成分をトラップ孔により確実に捕捉することができる。
【００２２】
又は上記構成において、前記トラップ孔の大きさｄの平均値をμｄ、前記トラップ孔の大きさｄの標準偏差をσｄとし、前記固形成分の大きさａの最大値をＭｘａとしたとき、
Ｍｘａ＜μｄ−３σｄ
を満たす構成を採用することがより望ましい。
【００２３】
この構成によれば、９９．７％のトラップ孔６２の大きさｄがμｄ±３σｄの範囲内にあるため、トラップ孔の大きさｄがばらついたとしても、殆どの固形成分をトラップ孔に一層確実に捕捉することができる。
【００２４】
上記構成において、前記繊維の大きさｆの平均値をμｆ、前記繊維の大きさｆの標準偏差をσｆとしたとき、
μｄ＋２σｄ＜μｆ−２σｆ
を満たすことが望ましい。
【００２５】
この構成によれば、トラップ孔の大きさｄがばらついたとしても、９５％のトラップ孔６２の大きさｄはμｄ±２σｄの範囲内であり、また、繊維の太さｆがばらついたとしても、９５％の繊維の太さｆはμｆ±２σｆの範囲内であるため、トラップ孔の大きさｄ及び繊維の太さｆがそれぞればらついたとしても、トラップ孔に払拭部材の繊維が入り込むことがより確実に抑制される。その結果、トラップ孔に一旦捕捉された固形成分が払拭部材の繊維により当該トラップ孔から掻き取られてノズル形成面側に運ばれてしまうことがより確実に抑制される。
【００２６】
又は上記構成において、前記繊維の大きさｆの平均値をμｆ、前記繊維の大きさｆの標準偏差をσｆとしたとき、
μｄ＋３σｄ＜μｆ−３σｆ
を満たす構成を採用することがより望ましい。
【００２７】
この構成によれば、９９．７％のトラップ孔の大きさｄがμｄ±３σｄの範囲内であり、また、９９．７％の繊維の太さｆはμｆ±３σｆの範囲内であるため、トラップ孔６２の大きさｄ及び繊維の太さｆがそれぞればらついたとしても、トラップ孔に払拭部材の繊維が入り込むことがさらに確実に抑制される。その結果、トラップ孔に一旦捕捉された固形成分が払拭部材の繊維により当該トラップ孔から掻き取られてノズル形成面側に運ばれてしまうことが一層確実に抑制される。
【００２８】
本発明の液体噴射ヘッドは、上記何れかの構成のノズルプレートを備えることを特徴とする。
【００２９】
本発明によれば、固形成分によりノズル形成面の撥液膜が傷つけられて摩耗することによる撥液性の低下が抑制されるので、液体噴射ヘッドの耐久性が向上する。
【００３０】
上記構成において、前記ノズルプレートを囲う開口を有する外周材と前記ノズルプレートとの間に充填材が充填され、
前記充填材に前記トラップ構造が設けられた構成を採用することができる。
【００３１】
この構成によれば、トラップ構造を設ける領域を別途設ける必要がないため、トラップ構造を設けることによるノズル形成面の大型化が防止される。その結果、液体噴射ヘッドの小型化に寄与することが可能となる。
【００３２】
さらに、本発明の液体噴射装置は、上記何れかの構成の液体噴射ヘッドと、
前記液体噴射ヘッドの前記ノズル形成面を払拭する払拭機構と、
前記トラップ構造における前記液体又は前記液体に含まれる固形成分を吸引する吸引機構と、
を備えることを特徴とする。
【００３３】
本発明によれば、固形成分によりノズル形成面の撥液膜が傷つけられて摩耗することによる撥液性の低下が抑制されるので、液体噴射ヘッドの耐久性が向上する。
また、吸引機構によりトラップ構造が吸引されることにより、トラップ構造に捕捉されている液体及びその固形成分が蓄積される前に除去されるので、トラップ構造のトラップ機能を維持することが可能となる。したがって、トラップ孔に一旦捕捉された固形成分が払拭機構により当該トラップ孔から掻き取られてノズル形成面側に再度運ばれてしまうリスクが低減される。
【００３４】
本発明のノズルプレートのメンテナンス方法は、上記何れか構成のノズルプレートのメンテナンス方法であって、
前記ノズル形成面を払拭部材により払拭して当該ノズル形成面に付着していた液体及び当該液体に含まれる固形成分を前記トラップ構造に導いて当該トラップ構造が有するトラップ孔に捕捉させ、
前記トラップ構造における前記液体又は前記液体に含まれる固形成分を吸引することを特徴とする。
【００３５】
本発明によれば、トラップ構造に捕捉されている液体及びその固形成分が蓄積される前に除去されるので、トラップ構造のトラップ機能を維持することが可能となる。したがって、トラップ孔に一旦捕捉された固形成分が払拭機構により当該トラップ孔から掻き取られてノズル形成面側に再度運ばれてしまうリスクが低減される。
【００３６】
本発明の液体噴射ヘッドのメンテナンス方法は、上記何れか構成の液体噴射ヘッドのメンテナンス方法であって、
前記ノズル形成面を払拭部材により払拭して当該ノズル形成面に付着していた液体及び当該液体に含まれる固形成分を前記トラップ構造に導いて当該トラップ構造が有するトラップ孔に捕捉させ、
前記トラップ構造における前記液体又は前記液体に含まれる固形成分を吸引することを特徴とする。
【００３７】
本発明によれば、トラップ構造に捕捉されている液体及びその固形成分が蓄積される前に除去されるので、トラップ構造のトラップ機能を維持することが可能となる。したがって、トラップ孔に一旦捕捉された固形成分が払拭機構により当該トラップ孔から掻き取られてノズル形成面側に再度運ばれてしまうリスクが低減される。
【００３８】
本発明の液体噴射装置のメンテナンス方法は、上記構成の液体噴射装置のメンテナンス方法であって、
前記ノズル形成面を前記払拭部材により払拭して当該ノズル形成面に付着していた液体及び当該液体に含まれる固形成分を前記トラップ構造に導いて当該トラップ構造が有するトラップ孔に捕捉させ、
前記トラップ構造を含む領域における前記液体又は前記液体に含まれる固形成分を吸引することを特徴とする。
【００３９】
本発明によれば、トラップ構造に捕捉されている液体及びその固形成分が蓄積される前に除去されるので、トラップ構造のトラップ機能を維持することが可能となる。したがって、トラップ孔に一旦捕捉された固形成分が払拭機構により当該トラップ孔から掻き取られてノズル形成面側に再度運ばれてしまうリスクが低減される。
【図面の簡単な説明】
【００４０】
【図１】液体噴射装置（プリンター）の一形態の構成を説明する正面図である。
【図２】液体噴射装置の電気的構成を説明するブロック図である。
【図３】液体噴射ヘッド（記録ヘッド）の一形態の構成を説明する断面図である。
【図４】ノズルの断面図である。
【図５】ノズル形成面の構成を説明する平面図である。
【図６】トラップ構造のトラップ孔の大きさの正規分布を示すグラフである。
【図７】払拭部材の構成を説明する断面図である。
【図８】メンテナンス動作について説明するフローチャートである。
【図９】払拭動作（ワイピング動作）について説明する工程図である。
【図１０】払拭動作（ワイピング動作）について説明する工程図である。
【図１１】払拭動作（ワイピング動作）について説明する工程図である。
【図１２】第２の実施形態におけるノズル形成面の平面図である。
【図１３】図１２における払拭方向（ノズル列方向）の断面図である。
【図１４】第２の実施形態の変形例について説明するノズル形成面の平面図である。
【図１５】第２の実施形態の他の変形例について説明するノズル形成面の平面図である。
【図１６】第３の実施形態におけるノズルプレート（ノズル形成面）の平面図である。
【図１７】図１６における払拭方向（ノズル列方向）の断面図である。
【図１８】第４の実施形態におけるノズルプレート（ノズル形成面）の平面図である。
【図１９】図１８における払拭方向（ノズル列方向）の断面図である。
【発明を実施するための形態】
【００４１】
以下、本発明を実施するための形態を、図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。なお、本実施形態では、液体噴射装置の一形態である画像記録装置、詳しくは、液体噴射ヘッドとしてインクジェット式記録ヘッド（以下、単に記録ヘッドという）を搭載したインクジェット式プリンター（以下、プリンターという）を例に挙げて説明する。
【００４２】
図１は、プリンター１の構成を説明する正面図、図２は、プリンター１の電気的な構成を説明するブロック図である。液体噴射ヘッドの一種である記録ヘッド２は、インクカートリッジ（液体供給源）を搭載したキャリッジ３の底面側に取り付けられている。そして、当該キャリッジ３は、キャリッジ移動機構１８によってガイドロッド４に沿って往復移動可能に構成されている。すなわち、プリンター１は、紙送り機構１７によって記録媒体をプラテン５上に順次搬送すると共に、記録ヘッド２を記録媒体の幅方向（主走査方向）に相対移動させながら当該記録ヘッド２のノズル３０（図３及び図４等参照）から本発明における液体の一種であるインクを噴射させて、記録媒体上に着弾させることにより画像等を記録する。なお、インクカートリッジがプリンターの本体側に配置され、当該インクカートリッジのインクが供給チューブを通じて記録ヘッド２側に送られる構成を採用することもできる。
【００４３】
本実施形態におけるプリンター１においては、インクとして、色材や、当該色材を分散または溶解させる溶剤などを含むものが使用される。色材は、例えば顔料であり、不溶性アゾ顔料、縮合アゾ顔料、アゾレーキ、キレートアゾ顔料などのアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料などの多環式顔料、染料キレート、染色レーキ、ニトロ顔料、ニトロソ顔料、アニリンブラック、昼光蛍光顔料、カーボンブラック、卑金属顔料などを使用することができる。さらに、顔料としては、例えば酸化銅や二酸化マンガンなどの無機材料（黒色顔料）、並びに、例えば亜鉛華、酸化チタン、アンチモン白、硫化亜鉛、などの無機材料などを使用することができる。また、染料としては、直接染料、酸性染料、食用染料、塩基性染料、反応性染料、分散染料、建染染料、可溶性建染染料、反応分散染料などを使用することができる。水系インクの溶媒としては、イオン交換水、限外ろ過水、逆浸透水、蒸留水などの純水または超純水を使用することができる。油性インクの溶剤としては、エチレングリコールやプロピレングリコールなどの揮発性の有機溶剤を含んだものを使用することができる。さらに、インクは、上述した色材や溶剤の他に、塩基性触媒、界面活性剤、第三級アミン、熱可塑性樹脂、ｐＨ調整剤、緩衝液、定着剤、防腐剤、酸化防止剤・紫外線吸収剤、キレート剤、酸素吸収剤などを含んでいてもよい。
【００４４】
このようなインクのうち、特に、溶質として酸化チタン（ＴｉＯｘ）等の比較的硬質な固形成分を含むインクは、ノズル３０から噴射された際や上記のメンテナンス処理（クリーニング処理）が行われた際にノズル形成面２３に付着した場合、ノズル形成面２３において次第に凝集して、当該インクに含まれる固形成分が集塊した凝集物を生じさせる。このような固形成分の凝集物が生じた状態で、何らの対策することなく後述するワイピング機構７で当該ノズル形成面２３を払拭した場合、固形成分がノズル形成面２３を摺動することにより撥液膜６０を傷つけやすい。本発明に係るプリンター１では、インクに含まれる固形成分によってノズル形成面２３が傷つけられにくくするように構成されている。この点の詳細については後述する。
【００４５】
プリンター１の内部において、プラテン５に対して主走査方向の一端側（図２中、右側）に外れた位置には、記録ヘッド２の待機位置であるホームポジションが設定されている。このホームポジションには、一端側から順にキャッピング機構６（封止機構の一種）、および、ワイピング機構７（払拭機構の一種）が設けられている。キャッピング機構６は、例えば、エラストマー等の弾性部材からなるキャップ８（封止部材の一種）を有しており、当該キャップ８を記録ヘッド２のノズル形成面２３に対して当接させて封止した状態（キャッピング状態）あるいは当該ノズル形成面２３から離隔した待避状態に変換可能に構成されている。このキャッピング機構６では、キャップ８内の空間が封止空部として機能し、この封止空部内に記録ヘッド２のノズル３０を臨ませた状態でノズル形成面２３を封止する。また、このキャッピング機構６には、図示しないポンプユニット（吸引機構）が接続されており、このポンプユニットの作動によって封止空部内を負圧化することができる。そして、吸引動作（クリーニング動作）においては、ノズル形成面２３への密着状態でポンプユニットが作動され、封止空部内が負圧化されると、ノズル３０から記録ヘッド２内のインクや気泡が吸引されてキャップ８の封止空部内に排出される。また、本実施形態においては、吸引動作により、後述するトラップ構造のトラップ孔に捕捉されたインクやこれに含まれる固形成分が吸引される。
【００４６】
本実施形態におけるワイピング機構７は、記録ヘッド２の主走査方向に対して交差する方向、換言すると後述するノズル列方向に沿って払拭部材の一形態であるワイパー９を摺動可能に有している。そして、ワイピング機構７は、ワイパー９をノズル形成面２３に当接させた状態で摺動させることでノズル形成面２３を払拭する払拭動作（ワイピング動作）を行う。なお、ワイピング機構７の詳細については後述する。
【００４７】
本実施形態におけるプリンター１は、プリンターコントローラー１１により各部の制御が行われる。本実施形態におけるプリンターコントローラー１１は、インターフェース（Ｉ／Ｆ）部１２と、ＣＰＵ１３と、記憶部１４と、駆動信号発生回路１５と、を有する。インターフェース部１２は、コンピューターや携帯情報端末機等の外部機器から印刷データや印刷命令を受け取ったり、プリンター１の状態情報を外部機器側に出力したりする。記憶部１４は、ＣＰＵ１３のプログラムや各種制御に用いられるデータを記憶する素子であり、ＲＯＭ、ＲＡＭ、ＮＶＲＡＭ（不揮発性記憶素子）を含む。
【００４８】
ＣＰＵ１３は、記憶部１４に記憶されているプログラムに従って、各ユニットを制御する。また、本実施形態におけるＣＰＵ１３は、外部機器等からの印刷データに基づき、記録動作時に記録ヘッド２のどのノズル３０からどのタイミングでどの大きさ（量）のインクを噴射させるかを示す噴射データを生成し、当該噴射データを記録ヘッド２のヘッドコントローラー１６に送信する。また、ＣＰＵ１３は、リニアエンコーダー１９から出力されるエンコーダーパルスからラッチ信号ＬＡＴ等のタイミング信号を生成して記録ヘッド２のヘッドコントローラー１６に出力する。ヘッドコントローラー１６は、上記噴射データおよびタイミング信号に基づき駆動信号中の駆動パルスを選択的に圧電素子３２（図３参照）に印加する。これにより圧電素子３２が駆動されてノズル３０からインク滴が噴射されたり、あるいは、インク滴が噴射されない程度に微振動動作が行われたりする。駆動信号発生回路１５は、記録媒体に対してインク滴を噴射して画像等を記録するための駆動パルスを含む駆動信号を発生する。
【００４９】
図３は、記録ヘッド２の構成の一例について説明する断面図である。
本実施形態における記録ヘッド２は、固定板２２、ノズルプレート２４、連通基板２５、アクチュエーターユニット２６、コンプライアンス基板２７、ケース２８等の複数の構成部材が積層されて接着剤等によって接合されて構成されている。なお、以下においては、記録ヘッド２の各構成部材の積層方向を、適宜上下方向として説明する。
【００５０】
アクチュエーターユニット２６は、ノズルプレート２４に形成されたノズル３０と連通する圧力室３３が形成された圧力室形成基板３１と、各圧力室３３内のインクに圧力変動を生じさせるアクチュエーター（駆動素子）としての圧電素子３２と、これらの圧力室形成基板３１および圧電素子３２を保護する封止板３４とがユニット化されたものである。封止板３４の平面視における略中央部には、駆動ＩＣ等の駆動回路３６を実装した配線基板３７が挿通される配線空部３８が開設されている。この配線空部３８内に圧電素子３２のリード電極が配置され、このリード電極に配線基板３７の配線端子が電気的に接続される。
【００５１】
アクチュエーターユニット２６の圧力室形成基板３１は、例えば、シリコン基板から作製されている。この圧力室形成基板３１には、圧力室３３となるべき空間が各ノズル３０に対応して複数列設されている。この圧力室３３は、ノズル列４４に交差する方向（本実施形態においては直交する方向）に長尺な空部であり、圧力室３３の長手方向の一側の端部にノズル連通口３９が連通し、他側の端部に供給口４０が連通する。本実施形態における圧力室形成基板３１には、圧力室３３の列が２列形成されている。
【００５２】
圧力室形成基板３１の上面（連通基板２５側とは反対側の面）には、振動板４１が積層され、この振動板４１によって圧力室３３の上部開口が封止されている。すなわち、振動板４１により、圧力室３３の一部が区画されている。この振動板４１は、例えば、圧力室形成基板３１の上面に形成された二酸化シリコン（ＳｉＯ２）からなる弾性膜と、この弾性膜上に形成された酸化ジルコニウム（ＺｒＯ２）からなる絶縁体膜と、から成る。そして、この振動板４１上における各圧力室３３に対応する領域に圧電素子３２がそれぞれ積層されている。
【００５３】
本実施形態の圧電素子３２は、所謂撓みモードの圧電素子である。この圧電素子３２は、例えば、振動板４１上に、下電極層、圧電体層および上電極層（いずれも図示せず）が順次積層されてなる。このように構成された圧電素子３２は、下電極層と上電極層との間に両電極の電位差に応じた電界が付与されると、上下方向に撓み変形する。本実施形態では、２列に形成された圧力室３３の列に対応して、圧電素子３２の列が２列形成されている。なお、下電極層および上電極層は、両側の圧電素子３２の列から当該列の間の配線空部３８内までリード電極として延在され、上述したように配線基板３７と電気的に接続されている。
【００５４】
封止板３４は、２列に形成された圧電素子３２の列を覆うように振動板４１上に積層されている。封止板３４の内部には、圧電素子３２の列を収容可能な長尺な収容空間４２が形成されている。この収容空間４２は、封止板３４の下面側（振動板４１側）から上面側（ケース２８側）に向けて封止板３４の高さ方向途中まで形成された窪みである。本実施形態における封止板３４には、配線空部３８の両側に収容空間４２が形成されている。
【００５５】
アクチュエーターユニット２６の下面には、このアクチュエーターユニット２６よりも広い面積を有する連通基板２５が接合される。この連通基板２５は、圧力室形成基板３１と同様にシリコン基板から作製されている。本実施形態における連通基板２５には、圧力室３３とノズル３０とを連通するノズル連通口３９と、各圧力室に共通に設けられた共通液室４３と、この共通液室４３と圧力室３３とを連通する供給口４０と、が形成されている。共通液室４３（リザーバー若しくはマニホールドとも呼ばれる）は、ノズル列方向に沿って延在する空部であり、連通基板２５において、ノズルプレート２４のノズル列４４毎に対応して２つ形成されている。この共通液室４３は、連通基板２５の板厚方向を貫通した第１液室４３ａと、連通基板２５の下面側から上面側に向けて当該連通基板２５の板厚方向の途中まで窪ませ、上面側に薄板部を残した状態で形成された第２液室４３ｂと、から構成される。供給口４０は、第２液室４３ｂの薄板部において、圧力室３３に対応してノズル列方向に沿って複数形成されている。この供給口４０は、連通基板２５と圧力室形成基板３１とが位置決めされて接合された状態で、対応する圧力室３３の長手方向における他側（ノズル連通口３９とは反対側）の端部と連通する。
【００５６】
ノズル連通口３９は、連通基板２５の各ノズル３０に対応する位置を板厚方向に貫通して形成される。すなわち、ノズル連通口３９は、圧力室形成基板３１とノズルプレート２４との間において、ノズル３０とこれに対応する圧力室３３とを連通する。このノズル連通口３９は、圧力室３３にそれぞれ個別に対応するようにノズル列方向に沿って複数形成されている。本実施形態のノズル連通口３９は、連通基板２５と圧力室形成基板３１とが位置決めされて接合された状態で、対応する圧力室３３の一側（供給口４０とは反対側）の端部と連通する。
【００５７】
上記の連通基板２５の下面の略中央部分には、複数のノズル３０が形成されたノズルプレート２４が接合される。本実施形態におけるノズルプレート２４は、連通基板２５およびアクチュエーターユニット２６よりも小さい面積の板材であり、シリコン基板から構成されている。このノズルプレート２４は、連通基板２５の下面において、共通液室４３の開口部から外れた位置であって、ノズル連通口３９が複数開口した領域に、これらのノズル連通口３９と複数のノズル３０とがそれぞれ連通する状態で接着剤等により接合される。
【００５８】
本実施形態におけるノズルプレート２４には、主走査方向に交差する副走査方向（記録媒体の搬送方向）に沿って複数のノズル３０が列設されてなるノズル列４４が合計２条形成されている（図５参照）。このノズルプレート２４は、例えばシリコン基板から作製され、当該基板に対してドライエッチングにより円筒形状のノズル３０が形成されている。また、本実施形態において、ノズルプレート２４のインクが噴射される側の面（連通基板２５が接合されている面とは反対側の面）と、このノズルプレート２４の周囲を囲むように配置された固定板２２（本発明における外周材の一種）の下面（記録動作時に記録媒体等と対向する面）とで構成される面がノズル形成面２３として機能する。また、後述するように、ノズルプレート２４の外周と、このノズルプレート２４を囲う貫通口４６を有する固定板２２との間（隙間）には充填材５１が充填されており、当該充填材５１の表面もノズル形成面２３の一部である。
【００５９】
図４は、ノズル３０の中心軸方向（インク噴射方向）に沿った断面図である。なお、同図において上側がインク噴射方向における上流側（圧力室３３側）であり、下側がインク噴射方向における下流側（記録動作時における記録媒体側）である。本実施形態におけるノズル３０は、下流側の第１ノズル部５６と上流側の第２ノズル部５７とにより２段の円筒状を呈し、第１ノズル部５６の流路断面積は、第２ノズル部５７の流路断面積よりも小さくなっている。これらの第１ノズル部５６と第２ノズル部５７とは、平面視においていずれも円形状を呈している。第１ノズル部５６における第２ノズル部５７側とは反対側の開口（すなわち、ノズル形成面２３におけるノズル開口）からインクが噴射される。なお、第２ノズル部５７の内径が、下流側（第１ノズル部５６側）から上流側（圧力室３３側）に向けて拡大するように内壁面が傾斜したテーパー形状のものであってもよい。
【００６０】
ノズルプレート２４のノズル形成面２３には、保護膜５９を介して撥液膜６０が形成されている。この保護膜５９は、ノズル３０の内壁面も含むノズルプレート２４の表面全体を図示しない酸化膜（ＳｉＯｘ）を介して被覆するように形成されており、ノズルプレート２４の基材をインクから保護するための膜である。また、この保護膜５９は、ノズルプレート２４の基材と保護膜５９とを結び付ける下地膜としての機能も有する。撥液膜６０は、保護膜５９の上に重ねて形成された撥液性を有する膜である。この撥液膜６０は、例えばフッ素を含む撥液剤（シランカップリング剤）が塗布されることで形成されている。この撥液剤としては、フルオロアルキル基を含むシラン化合物、例えば、トリフルオロプロピルトリメトキシシランが用いられる。また、塗布によるものではなく、例えば、ＰＶＤ，ＣＶＤ，あるいはＡＬＤ等の気相成長法によって撥液膜６０が成膜されてもよい。同様に、固定板２２のノズル形成面２３として機能する下面にも撥液膜が形成されている。
【００６１】
また、連通基板２５の下面において、ノズルプレート２４の周囲を囲むように、当該ノズルプレート２４の外形に倣った形状の貫通開口４５が中央部に形成されたコンプライアンス基板２７が接合される。このコンプライアンス基板２７の貫通開口４５は、固定板２２の貫通口４６と連通して、その内側にノズルプレート２４が配置されるように構成されている。コンプライアンス基板２７は、連通基板２５の下面に位置決めされて接合された状態で、連通基板２５の下面における共通液室４３の開口を封止する。本実施形態におけるコンプライアンス基板２７は、可撓フィルム４７と、これを支持する支持板４８とが接合されて構成されている。
【００６２】
連通基板２５の下面には、コンプライアンス基板２７の可撓フィルム４７が接合されて、連通基板２５と支持板４８との間に可撓フィルム４７が挟まれた状態となる。可撓フィルム４７は、可撓性を有する薄膜、例えばポリフェニレンサルファイド（ＰＰＳ）等の合成樹脂材料により作製されている。支持板４８は、可撓フィルム４７よりも剛性が高く且つ厚みのあるステンレス鋼等の金属材料で形成されている。この支持板４８の共通液室４３に対向する領域には、この共通液室４３の下面開口に倣った形状に支持板４８の一部が除去されている。このため、共通液室４３の下面側の開口は、可撓性を有する可撓フィルム４７のみで封止されている。換言すると、可撓フィルム４７は、共通液室４３の一部を区画している。
【００６３】
支持板４８の下面には固定板２２が接合されている。これにより、可撓フィルム４７の可撓領域と、これに対向する固定板２２との間には、コンプライアンス空間５０が形成されている。そして、このコンプライアンス空間５０における可撓フィルム４７の可撓領域が、インク流路内、特に共通液室４３内の圧力変動に応じて共通液室４３側又はコンプライアンス空間５０側に変位する。
【００６４】
アクチュエーターユニット２６及び連通基板２５は、ケース２８に固定されている。ケース２８の下面側にはアクチュエーターユニット２６を収容する収容空部５２が形成されている。そして、収容空部５２にアクチュエーターユニット２６が収容された状態でケース２８の下面が連通基板２５によって封止される。このケース２８の平面視における略中央部分には、収容空部５２と連通する挿通空部５３が開設されている。この挿通空部５３は、アクチュエーターユニット２６の配線空部３８とも連通する。上記の配線基板３７は、挿通空部５３を通じて配線空部３８に挿入されるように構成されている。また、ケース２８の内部において、挿通空部５３及び収容空部５２の両側には、連通基板２５の共通液室４３と連通する液室空部５４が形成されている。また、ケース２８の上面には、各液室空部５４と連通する導入口５５がそれぞれ開設されている。インクカートリッジ側から送られてきたインクは、導入口５５、液室空部５４、及び共通液室４３へと導入され、共通液室４３から供給口４０を通じて各圧力室３３に供給される。
【００６５】
固定板２２は、例えば、ステンレス鋼等の金属製の板材である。本実施形態における固定板２２には、ノズルプレート２４に対応する位置に、当該ノズルプレート２４に形成されたノズル３０を露出させるため、ノズルプレート２４の外形に倣った形状の貫通口４６（本発明におけるノズルプレートを囲う開口に相当）が厚さ方向を貫通する状態で形成されている。上述したように、この貫通口４６は、コンプライアンス基板２７の貫通開口４５と連通する。
【００６６】
そして、上記構成の記録ヘッド２では、液室空部５４から共通液室４３及び圧力室３３を通ってノズル３０に至るまでの流路内がインクで満たされた状態で、駆動回路３６からの駆動信号に従い圧電素子３２が駆動されることにより、圧力室３３内のインクに圧力変動が生じ、この圧力振動によって所定のノズル３０からインクが噴射される。
【００６７】
ここで、記録ヘッド２のノズル３０から噴射されるインク（インク滴）は、数〔ｎｇ〕から十数〔ｎｇ〕と微小であるため、噴射に伴ってさらに微小なミストが生じ、このようなミストがノズル形成面２３に付着する場合がある。また、キャップ８によりノズル形成面２３が封止された状態でノズル３０からインクを排出させる上記クリーニング処理においてもノズル形成面２３にインクが付着する。ノズル形成面２３に付着したインクには、顔料等の固形成分（本実施形態においては、酸化チタンのような無機成分）が含まれており、ノズル形成面２３に付着したインクＷｉ（図４参照）を放置しておくと、このインクＷｉに含まれる固形成分が凝集した凝集物が生じる場合がある。このような状態でワイピング機構７によりノズル形成面２３を払拭すると、ワイパー９が凝集物をノズル形成面２３に対し押し付けて引き摺ることにより、撥液膜６０を劣化させるおそれがある。このような問題を防止するため、ノズル形成面２３には、インクＷｉ及びこれに含まれる固形成分６３ができるだけ残らないようにすることが肝要となる。本発明に係るプリンター１では、ノズル形成面２３に付着したインク及びこれに含まれる固形成分をより確実に除去して、当該固形成分により撥液膜６０を損傷しにくいように構成されている。以下、この点について説明する。
【００６８】
図５は、記録ヘッド２の下面（ノズル形成面２３）の構成を説明する平面図である。同図において、充填材５１の一部が拡大されて図示されている。本実施形態におけるノズルプレート２４の外周と、コンプライアンス基板２７の貫通開口４５の内周及び固定板２２の貫通口４６の内周との間には、若干の隙間が生じる。そして、この隙間にワイパー９や記録紙等の記録媒体が入り込んでノズルプレート２４の側面に引っ掛かる等して当該ノズルプレート２４が損傷することを防止するため、本実施形態においてはこの隙間に充填材５１が充填されている。この充填材５１のうち、ノズル形成面２３のノズル３０（ノズル列４４）が形成された領域（図５中、Ａｎで示される領域）よりも上流側の領域Ａ１及び下流側の領域Ａ２（より具体的にはこれらの領域Ａ１，Ａ２における後述するトラップ孔６２）が、本発明におけるトラップ構造として機能する。図５において拡大して示されるように、充填材５１は、例えば、シリカ、カーボン、セラミック、ポリエチレン、ポリメチルメタアクリレート等を基材とした多孔質部材が用いられる。多孔質部材の孔（以下、トラップ孔６２）の大きさに関し、ノズル形成面２３に付着したインクの溶質、すなわち、顔料等の固形成分６３（本実施形態においては、酸化チタンのような無機成分）を捕捉（トラップ）することが可能な大きさに調整されている。すなわち、トラップ構造が備えるトラップ孔（気孔）６２の大きさ（内寸）が、固形成分６３（これらの凝集物を含む）の大きさよりも大きく、尚且つ、ワイパー９を構成する繊維素材の繊維の太さよりも小さくなっている。より具体的には、トラップ孔６２の大きさｄの平均値μｄが、ノズル形成面２３におけるインクの固形成分６３の大きさ（粒子径）ａの最大値Ｍｘａよりも大きく、尚且つ、ワイパー９の繊維の太さｆの平均値μｆよりも小さくなっている。すなわち、以下の条件（Ａ）を満たすように設計されている。
Ｍｘａ＜μｄ＜μｆ  …（Ａ）
上記条件（Ａ）を満たすことにより、ワイピング動作時において、ノズル形成面２３に付着したインクの固形成分６３を、トラップ構造として機能する充填材５１に捕捉（トラップ）させることが可能となる。これにより、ノズル形成面２３が清浄に保たれるので、固形成分６３によりノズル形成面２３の撥液膜６０が傷つけられて摩耗することによる撥液性の低下が抑制される。また、ワイパー９の繊維がトラップ孔６２に入り込みにくいため、トラップ孔６２に一旦捕捉された固形成分６３がワイパー９の繊維により当該トラップ孔６２から掻き取られてノズル形成面２３側に運ばれてしまうことが抑制される。なお、繊維の太さｆは、ノズル３０（第１ノズル部５６）の開口径（例えば、２０〔μｍ〕）よりも小さく、例えば、数〔μｍ〕から十数〔μｍ〕である。
【００６９】
図６は、多孔質部材のトラップ孔６２の大きさｄの正規分布を示す図である。
ここで、多孔質部材からなるトラップ構造のトラップ孔６２の大きさは比較的ばらつきがあるため、当該トラップ孔６２の大きさｄの標準偏差をσｄとしたとき、以下の条件（Ｂ）を満たすことがより望ましい。
Ｍｘａ＜μｄ−２σｄ  …（Ｂ）
すなわち、正規分布に従えば、トラップ孔６２がばらついたとしても、９５％のトラップ孔６２の大きさｄは、μｄ±２σｄの範囲内であるため、上記条件（Ｂ）を満たすことにより、トラップ孔６２の大きさｄがばらついたとしても、トラップ孔６２の大きさｄは固形成分６３の大きさａの最大値Ｍｘａよりも概ね大きいので、固形成分６３をトラップ孔６２により確実に捕捉することができる。
【００７０】
なお、例えば、本実施形態におけるインクに含まれる酸化チタンからなる固形成分６３の大きさａ（粒子径）は約３００±２０〔ｎｍ〕であるが、前回ワイピング動作から今回ワイピング動作までの間にノズル形成面２３上で固形成分６３が凝集した場合、最大値Ｍｘａは、これよりも大きくなることがある。ノズル形成面２３に付着した固形成分６３の大きさａの最大値Ｍｘａは、前回実行されたワイピング動作から今回のワイピング動作まで間（その経過時間）において記録ヘッド２から噴射されたインクの総噴射量（総噴射回数）に応じて推定することができる。この経過時間あるいは総噴射量と固形成分６３の大きさａの最大値Ｍｘａとの関係は、予め試験等により取得され、その算出式あるいはその関係が記述されたテーブル等が固形成分サイズ情報として記憶部１４等に記憶されている。そして、ワイピング動作の実行時には、前回ワイピング動作の実行時から今回のワイピング動作の実行までの経過時間又は総噴射量に基づき固形成分６３の大きさａの最大値Ｍｘａを推測することができる。
【００７１】
さらに望ましくは、以下の条件（Ｃ）を満たすことである。
Ｍｘａ＜μｄ−３σｄ  …（Ｃ）
すなわち、９９．７％のトラップ孔６２の大きさｄがμｄ±３σｄの範囲内にあるため、上記条件（Ｃ）を満たすことにより、トラップ孔６２の大きさｄがばらついたとしても、殆どの固形成分をトラップ孔６２に一層確実に捕捉することができる。
【００７２】
同様に、ワイパー９を構成する繊維素材の繊維の太さ（外径）ｆの標準偏差をσｆとしたとき、以下の条件（Ｄ）を満たすことがより望ましい。
μｄ＋２σｄ＜μｆ−２σｆ  …（Ｄ）
すなわち、トラップ孔６２の大きさｄがばらついたとしても、９５％のトラップ孔６２の大きさｄはμｄ±２σｄの範囲内であり、また、繊維の太さｆがばらついたとしても、９５％の繊維の太さｆはμｆ±２σｆの範囲内であるため、上記条件（Ｄ）を満たすことにより、トラップ孔６２の大きさｄ及び繊維の太さｆがそれぞればらついたとしても、トラップ孔６２にワイパー９の繊維が入り込むことがより確実に抑制される。その結果、トラップ孔６２に一旦捕捉された固形成分６３がワイパー９の繊維により当該トラップ孔６２から掻き取られてノズル形成面２３側に運ばれてしまうことがより確実に抑制される。さらに望ましくは、以下の条件（Ｅ）を満たすことである。
μｄ＋３σｄ＜μｆ−３σｆ  …（Ｅ）
すなわち、９９．７％のトラップ孔６２の大きさｄがμｄ±３σｄの範囲内であり、また、９９．７％の繊維の太さｆはμｆ±３σｆの範囲内であるため、上記条件（Ｅ）を満たすことにより、トラップ孔６２の大きさｄ及び繊維の太さｆがそれぞればらついたとしても、トラップ孔６２にワイパー９の繊維が入り込むことがさらに確実に抑制される。その結果、トラップ孔６２に一旦捕捉された固形成分６３がワイパー９の繊維により当該トラップ孔６２から掻き取られてノズル形成面２３側に運ばれてしまうことが一層確実に抑制される。
【００７３】
また、本実施形態における充填材５１は、親液性を有している。より具体的には、例えば、親液化剤（ポリビニルピロリドン等）や光触媒材料の塗布或はプラズマ処理により、ノズル形成面２３における他の部分と比較して親液性が高められている。これにより、ワイピング動作時にワイパー９に付着したインクが充填材５１に吸収されやすくなり、固形成分６３をより円滑に充填材５１に捕捉することができる。
【００７４】
図７は、払拭機構の一形態であるワイピング機構７の構成について説明する模式図である。また、図なお、同図において、ワイピング機構７については、主走査方向に交差する副走査方向（本実施形態においては記録ヘッド２のノズル列方向）における断面で表されている。本実施形態におけるワイピング機構７は、副走査方向に沿って配設されたレール６５にユニット本体６６が摺動可能に取り付けられて構成されている。ユニット本体６６は、図示しないラックギア、ピニオンギア、および駆動源等からなるワイパー移動機構によってレール６５に案内されつつ、図中白抜きの矢印で示される副走査方向に沿った払拭方向に往復移動することが可能となっている。このユニット本体６６は、織物・編物・不織布等の布、すなわち繊維素材からなるシート状のワイパー９が巻き回された第１ロール６７と、払拭後のワイパー９が巻き取られる第２ロール６８と、が収容されている。
【００７５】
第１ロール６７と第２ロール６８とは、払拭方向において互いに所定の距離を隔てた状態で軸支されている。第１ロール６７は、第１軸６９に未使用のワイパー９が巻装されており、ワイピングの際にワイパー９を第２ロール６８側に順次繰り出す。また、第２ロール６８は、第２軸７０に使用済み（ノズル形成面２３の払拭後）のワイパー９を巻き取る。払拭方向における第１ロール６７および第２ロール６８との間であって、上方（ノズル形成面２３側）の位置には、押圧ローラー７１が配置されている。第１ロール６７から繰り出されたワイパー９は、押圧ローラー７１の外周の上部に架け渡され、その先が第２ロール６８に巻き取られるようになっている。
【００７６】
押圧ローラー７１は、第１ロール６７と第２ロール６８の回動に応じて回転可能に遊転軸７２に軸支されている。ユニット本体６６の上面、すなわち、記録ヘッド２のノズル形成面２３と相対する面の中央部には、挿通口７３が開設されている。そして、ユニット本体６６の内部から当該挿通口７３を介して押圧ローラー７１の一部（上部）が外側のノズル形成面２３側に突出している。このため、ワイパー９において押圧ローラー７１に架け渡された部分（払拭領域）もユニット本体６６の上面よりノズル形成面２３側に突出して、ノズル形成面２３と相対している。上記押圧ローラー７１の遊転軸７２は、図示しないばね等の付勢部材により、上方、すなわちノズル形成面２３側へ付勢されている。このため、ワイパー９の払拭領域は、押圧ローラー７１を介してノズル形成面２３に当接する側へ付勢されている。
【００７７】
本実施形態におけるワイパー９は、織物（布帛）、編物、または不織布等の天然繊維あるいは化学繊維を含む薄手の繊維素材（布材）である。ワイパー９の幅（主走査方向における寸法）は、記録ヘッド２のノズル形成面２３の主走査方向の寸法よりも長くなっている。これにより、ワイピング動作時においてワイパー９によりノズル形成面２３の全面を払拭することができるようになっている。なお、ワイパー９を構成している繊維素材は、繊維の他に繊維同士を接着する接着剤等を含んでいてもよい。
【００７８】
図８は、プリンター１におけるメンテナンス方法について説明するフローチャートである。また、図９〜図１１は、ワイピング機構７により記録ヘッド２のノズル形成面２３が払拭される様子を説明する工程図である。ワイピング動作は、所定のワイピング実行条件が成立した場合に実行される。当該ワイピング実行条件は、ノズル形成面２３に付着したインクＷｉに含まれる固形成分６３（固形成分６３の凝集物を含む）の大きさａの最大値Ｍｘａが上記条件（Ａ）を満たすような範囲内に設定される。すなわち、ＣＰＵ１３は、固形成分サイズ情報を記憶部１４から取得して、前回実行されたワイピング動作からの経過時間、又は、前回ワイピング動作からの記録ヘッド２から噴射されたインクの総噴射量に基づき、現時点における固形成分の大きさの最大値Ｍｘａを推定する（ステップＳ１）。続いて、ＣＰＵ１３は、推定された最大値Ｍｘａに基づき、ワイピング実行条件が成立したか否かを判定する（ステップＳ２）。ワイピング実行条件が成立していないと判定された場合、処理は終了する。なお、上記最大値Ｍｘａの推定は、例えば、記録動作中やプリンター１の電源が投入されたとき等に定期的に実行される。ステップＳ２において、ワイピング実行条件が成立したと判定された場合、ＣＰＵ１３は、キャリッジ移動機構１８を制御して、記録ヘッド２が搭載されたキャリッジ３をワイピング機構７の上方のワイピング位置まで移動させる（ステップＳ３）。
【００７９】
続いて、図９に示されるように、ワイパー９がノズル形成面２３に当接した状態でユニット本体６６が矢印で示される払拭方向に移動することでワイピング動作が行われる（ステップＳ４）。本実施形態においては、ノズル列方向に沿ってワイパー９によってノズル形成面２３が払拭され、当該ノズル形成面２３に付着していた固形成分６３を含むインクＷｉがワイパー９によって掻き集められる。そして、図１０及び図１１に示されるように、ワイパー９が、払拭方向におけるノズル形成領域よりも下流側に設けられた充填材５１、すなわち、トラップ構造に到達すると、ワイパー９によって掻き集められたインクＷｉが充填材５１のトラップ孔６２に吸収されて保持される。上述したように、条件（Ａ）を満たすことにより、インクＷｉに含まれる殆どの固形成分６３をトラップ構造として機能する充填材５１に捕捉させることが可能となる。また、本実施形態においては、トラップ孔６２の大きさｄの平均値μｄがワイパー９を構成する繊維素材の繊維の太さｆの平均値μｆよりも小さくなっているので、ワイパー９がノズル形成面２３を往復する場合においても、充填材５１のトラップ孔６２に一旦捕捉された固形成分６３がワイパー９の繊維により当該トラップ孔６２から掻き取られてノズル形成面２３側に再度運ばれてしまうことが抑制される。
【００８０】
ワイピング動作が実行された後、続いて、ＣＰＵ１３はキャリッジ移動機構１８を制御して、キャリッジ３をキャッピング機構６の上方のキャッピング位置まで移動させる（ステップＳ５）。そして、ノズル形成面２３における充填材５１を含む領域をキャップ８により封止（キャッピング）した状態で吸引動作が行われる（ステップＳ６）。これにより、ノズル３０から記録ヘッド２内のインクや気泡と共に充填材５１のトラップ孔６２に捕捉されているインクＷｉ及びこれに含まれる固形成分６３が吸引されてキャップ８の封止空部内に排出される。このようにして、充填材５１のインクＷｉ及び固形成分６３が蓄積される前に除去される。
【００８１】
以上のようにワイピング動作及び吸引動作が行われると、ノズル形成面２３に付着したインクＷｉに含まれる顔料等の固形成分６３がトラップ構造として機能する充填材５１のトラップ孔６２に捕捉されるので、ノズル形成面２３が清浄に保たれる。これにより、ワイピング動作時にワイパー９とノズル形成面２３との間で固形成分６３が挟まれた状態でノズル形成面２３を摺動することが抑制されるので、当該固形成分６３により傷つけられて摩耗することによる撥液膜６０の劣化（撥液性の低下）が抑制される。その結果、撥液膜６０の撥液性の低下によるインク滴の飛翔曲がり等の不具合が抑制される。そして、このような構成を有する記録ヘッド２及びこれを備えるプリンター１では、固形成分により記録ヘッド２のノズル形成面２３の撥液膜６０が摩耗することによる撥液性の低下が抑制されるので、耐久性が向上する。また、本実施形態においては、ノズルプレート２４の外周と固定板２２との間に充填された充填材５１の一部が本発明におけるトラップ構造として機能するので、トラップ構造を設ける領域を別途設ける必要がない。このため、トラップ構造を設けることによるノズル形成面２３の大型化が防止される。その結果、記録ヘッド２の小型化に寄与することが可能となる。特に、複数の記録ヘッド２を組み合わせて所謂ライン型の液体噴射ヘッドを構成する場合には、ライン型液体噴射ヘッド及びこれを備える液体噴射装置が全体的に大型化することが低減される。
【００８２】
さらに、今回のワイピング動作後、次回のワイピング動作が行われるまでに、上記の吸引動作が行われることにより、充填材５１のトラップ孔６２に捕捉されているインクＷｉが蓄積される前に除去されるので、トラップ構造のトラップ機能を維持することが可能となる。したがって、トラップ孔６２に一旦捕捉された固形成分６３が払拭機構により当該トラップ孔６２から掻き取られてノズル形成面２３側に再度運ばれてしまうリスクが低減される。なお、吸引動作は、今回のワイピング動作後、次回のワイピング動作が行われるまでに行われればよく、必ずしも今回のワイピング動作の直後に行われなくてもよい。但し、トラップ孔６２に捕捉された固形成分６３を含むインクが乾燥する前に吸引動作が行われることが望ましい。また、この時の吸引動作は、充填材５１に捕捉されたインクＷｉ及び固形成分６３を吸引する目的のためだけに行われてもよく、必ずしもノズル３０からインク等が吸引されるものでなくてもよい（すなわち、ノズル３０の噴射機能を回復させる所謂クリーニング動作とは別途に行われてもよい）。
【００８３】
なお、本実施形態においては、ノズル形成面２３のノズル形成領域よりも払拭方向における上流側及び下流側の両方にトラップ構造が設けられた構成を例示したが、これには限られず、ワイピング動作が一方向のみ行われる構成においては、少なくとも払拭方向における下流側にトラップ構造が設けられていればよい。
【００８４】
次に、本発明の他の実施形態について説明する。
図１２及び図１３は、第２の実施形態について説明する図であり、図１２は第２の実施形態におけるノズル形成面２３の平面図、図１３は図１２における払拭方向（ノズル列方向）の断面図である。上記第１の実施形態では、充填材５１として多孔質部材が用いられることにより本発明におけるトラップ構造として機能する構成を例示したが、これには限られない。図１２に示される第２の実施形態では、充填材５１の合成樹脂等の基材にナノインプリント法により凹部や溝等のパターンが形成されることで、トラップ構造とされる構成を採用することも可能である。ナノインプリント法としては、例えば、熱可塑性樹脂からなる基材に対する型押し、加熱、冷却、離型を経てパターンを形成する熱式、又は、光硬化樹脂からなる基材に対する型押し、光（紫外線）照射、離型を経てパターンを形成する光照射式を採用することができる。図１２及び図１３の例では、ノズル形成面２３のノズル形成領域よりも払拭方向側、より具体的には払拭方向における少なくとも下流側の領域の充填材５１に、払拭方向に直交する方向に沿った溝７５が、払拭方向に沿って複数（図１２の例では合計４本）形成されており、これらの複数の溝７５が本発明におけるトラップ構造として機能し、各溝７５の内部空間がトラップ孔として機能する。払拭方向に直交する方向（図１１における上下方向）において各溝７５の長さはノズル形成領域の寸法と同程度、又はそれよりもすこし長く設定されている。また、払拭方向における溝７５の大きさ（幅ｇ）に関し、その平均値μｇが以下の条件（Ｅ）を満たすように設計されている。
Ｍｘａ＜μｇ＜μｆ  …（Ｅ）
【００８５】
本実施形態においても、上記条件（Ｅ）を満たすことにより、ワイピング動作時において、ノズル形成面２３に付着したインクの固形成分６３を、トラップ構造として機能する溝７５に捕捉させることが可能となる。また、ワイパー９の繊維が溝７５に入り込みにくいため、溝７５に一旦捕捉された固形成分６３がワイパー９の繊維により当該溝７５から掻き取られてノズル形成面２３側に運ばれてしまうことが抑制される。同様に、溝７５の深さｄｐ（ノズル形成面に直交する方向の寸法）についても、少なくとも、ノズル形成面２３におけるインクの固形成分６３の大きさａの最大値Ｍｘａよりも大きいことが望ましい。これにより、トラップされた固形成分６３の全体を溝７５に埋没させることができるので、当該溝７５に一旦捕捉された固形成分６３がワイパー９の繊維により当該溝７５から掻き取られてノズル形成面２３側に運ばれてしまうことがより確実に抑制される。
【００８６】
そして、本実施形態においては、トラップ構造が払拭方向に交差する方向（本実施形態においては直交する方向）に沿った溝７５からなるので、ノズル形成面２３上のトラップ構造が設けられる領域が払拭方向に大きくなることが抑制される。このため、トラップ構造を設けることによるノズル形成面２３の大型化が抑制される。その結果、記録ヘッド２の小型化に寄与することが可能となる。また、本実施形態においては、トラップ構造として機能する溝７５が、払拭方向に複数並設されていることにより、その分、より多くの固形成分６３を補足することが可能となる。なお、その他の構成については第１の実施形態と同様である。
【００８７】
図１４は、第２の実施形態の変形例について説明するノズル形成面の平面図である。上記第２の実施形態においては、トラップ構造として、払拭方向に直交する方向に延在する溝７５を例示したが、これには限られず、種々の形状のトラップ構造を採用することができる。例えば、溝７５は必ずしも払拭方向に直交していなくてもよく、払拭方向に交差していればよい。すなわち、図１４に示される変形例における溝７５は、払拭方向に対して傾斜した方向に延在されている。また、溝７５は、払拭方向で見てノズル形成領域全体と重なる状態に設けられている必要はなく、図１４に示されるように、払拭方向においてノズル列４４の仮想延長線（図１４における破線）上に少なくとも設けられていればよい。なお、他の構成については、上記第２の実施形態と同様である。
【００８８】
図１５は、第２の実施形態の他の変形例について説明するノズル形成面の平面図である。上記第２の実施形態においては、トラップ構造として溝７５を例示したが、これには限られず、矩形状の開口を有する凹部７６が、ノズル形成領域よりも少なくとも下流側の領域に複数設けられていることにより、トラップ構造が構成されてもよい。これらの複数の凹部７６が本発明におけるトラップ構造として機能し、各凹部７６の内部空間がトラップ孔として機能する。図１５に示される変形例では、払拭方向に直交する方向に並設された複数の凹部７６からなる凹部群が、払拭方向に複数並設されている。隣り合う凹部群の凹部７６同士は、払拭方向に直交する方向において互い違いとなるように配置されている。勿論、凹部７６の開口形状は、矩形に限られず、例えば、円形を呈するものであってもよい。そして、払拭方向における凹部７６の大きさ（幅ｗ）に関し、その平均値μｇが以下の条件（Ｆ）を満たすように設計されている。
Ｍｘｗ＜μｇ＜μｆ  …（Ｆ）
なお、凹部７６の払拭方向に直交する方向の大きさ（長さｓ）に関しては、幅ｗ以上に設定される。
【００８９】
本実施形態においても、上記条件（Ｆ）を満たすことにより、ワイピング動作時において、ノズル形成面２３に付着したインクの固形成分６３を、トラップ構造として機能する凹部７６に捕捉させることが可能となる。また、ワイパー９の繊維が溝７５に入り込みにくいため、凹部７６に一旦捕捉された固形成分６３がワイパー９の繊維により当該凹部７６から掻き取られてノズル形成面２３側に運ばれてしまうことが抑制される。同様に、凹部７６の深さ（ノズル形成面に直交する方向の寸法）についても、少なくとも、ノズル形成面２３におけるインクの固形成分６３の大きさａの最大値Ｍｘａよりも大きいことが望ましい。これにより、トラップされた固形成分６３の全体を凹部７６に埋没させることができるので、当該凹部７６に一旦捕捉された固形成分６３がワイパー９の繊維により当該溝７５から掻き取られてノズル形成面２３側に運ばれてしまうことがより確実に抑制される。
【００９０】
本実施形態においては、トラップ構造が払拭方向に交差する方向（本実施形態においては直交する方向）に沿って複数の凹部７６が並設されてなる凹部群から構成されているので、ノズル形成面２３上のトラップ構造が設けられる領域が払拭方向に大きくなることが抑制される。このため、トラップ構造を設けることによるノズル形成面２３の大型化が抑制される。その結果、記録ヘッド２の小型化に寄与することが可能となる。また、本実施形態においては、凹部群が払拭方向に複数並設されていることにより、その分、より多くの固形成分６３を補足することが可能となる。なお、他の構成については、上記第２の実施形態と同様である。
【００９１】
図１６及び図１７は、第３の実施形態について説明する図であり、図１６は第３の実施形態におけるノズル形成面２３（本発明に係るノズルプレート２４）の平面図、図１７は図１６における払拭方向（ノズル列方向）の断面図である。上記第１の実施形態及び第２の実施形態においては、ノズルプレート２４の外周と固定板２２との間に充填された充填材５１にトラップ構造が設けられた構成を例示したが、これには限られず、ノズルプレート２４の外周と固定板２２との間に隙間を有しない構成や、固定板２２を備えていない構成等においても本発明を適用することが可能である。すなわち、ノズルプレート２４自体にトラップ構造が形成された構成を採用することも可能である。
【００９２】
図１６及び図１７に示される例では、払拭方向に交差方向に延在する複数の溝７５が、ノズルプレート２４のノズル形成領域の払拭方向における少なくとも下流側に設けられている。勿論、当該実施形態においても溝７５に限られず、凹部群等の種々の形状のトラップ構造を採用することができる。ノズルプレート２４に溝７５等のトラップ構造を形成する構成では、例えば、ノズルプレート２４の基材であるシリコン基板にエッチング処理により、ノズル形成面２３となる面（上記ノズル３０の第１ノズル部５６が開口する面であり、撥液膜６０が形成される面（図１７における上面））側からエッチング処理により第１ノズル部５６が形成される際に、同じくエッチング処理によりトラップ構造（本実施形態においては溝）が形成される。そして、保護膜５９及び撥液膜６０が順次形成された後（何れも図示は省略）、トラップ構造が形成された領域（図１６において一点鎖線で囲まれた領域）の撥液膜６０がプラズマ処理等により除去される。これにより、溝７５等のトラップ構造が形成された領域は、ノズル形成面２３における他の部分と比較して親液性を呈する。本実施形態においても、ワイピング動作時にノズルプレート２４のノズル形成面２３に付着したインク等のインクに含まれる顔料等の固形成分が溝７５等のトラップ構造のトラップ孔に捕捉されるので、ノズル形成面２３が清浄に保たれる。これにより、ノズルプレート２４における撥液膜の劣化（撥液性の低下）が抑制される。また、このようにトラップ構造がノズルプレート２４に設けられる構成においても、トラップ構造が払拭方向に交差する方向に沿った溝７５や凹部（凹部群）からなるので、ノズル形成面２３上のトラップ構造が設けられる領域が払拭方向に大きくなることが抑制される。このため、トラップ構造を設けることによるノズルプレート２４の大型化が抑制される。その結果、記録ヘッド２の小型化に寄与することが可能となる。なお、他の構成については上記各実施形態と同様である。
【００９３】
図１８及び図１９は、第４の実施形態について説明する図であり、図１８は第４の実施形態におけるノズル形成面の平面図、図１９は図１８における払拭方向（ノズル列方向）の断面図である。本実施形態においては、第３の実施形態と同様に、ノズルプレート２４にトラップ構造が設けられているが、開口部７８内に多孔質部材からなる吸収材７９が充填されてトラップ構造が構成されている点で第３の実施形態と異なっている。開口部７８は、上記の溝７５等のトラップ構造と同様に、ノズルプレート２４の基材であるシリコン基板にエッチング処理により当該基材の厚さ方向の途中まで形成されている。なお、開口部７８は、ノズルプレート２４の厚さ方向を貫通してもよい。この開口部７８の払拭方向に直交する方向における寸法Ｌ１は、ノズル形成領域Ａｎの同方向の寸法と同程度、又は、これよりも大きい。また開口部７８の払拭方向における寸法Ｌ２は、ノズルプレート２４におけるノズル形成領域から外れた領域において可能な範囲で大きくとられている。当該開口部７８に充填された吸収材７９は、充填材５１と同様な材料から構成され、また、当該充填材５１と同様に図示しないトラップ孔を多数有する。そして、本実施形態においても、ワイピング動作時にノズルプレート２４のノズル形成面２３に付着したインク等のインクに含まれる顔料等の固形成分が吸収材７９に捕捉され、ノズル形成面２３が清浄に保たれる。これにより、ノズルプレート２４における撥液膜の劣化（撥液性の低下）が抑制される。なお、他の構成については上記各実施形態と同様である。
【００９４】
上記各実施形態においては、ワイパー９がノズル形成面２３に当接した状態でユニット本体６６が払拭方向に移動してワイピング動作が行われる構成を例示したが、これには限られず、ノズル形成面２３とユニット本体６６との相対位置を維持した状態で、ワイパー９を回動させることによりワイピング動作が行われてもよい。あるいは、ワイピング機構７は駆動せずに、記録ヘッド２を払拭方向に移動させることによりワイピング動作を行う構成を採用することができる。要するに、ワイパー９とノズル形成面２３とが相対的に移動することでワイピング動作を行えばよい。また、ワイピング機構７の構成についても、上記各実施形態で例示したものには限られず、ノズル形成面２３を払拭可能な周知の種々の構成のワイピング機構を採用することができる。
【００９５】
なお、以上では、プリンター１の記録ヘッド２のノズル形成面２３を払拭する構成に本発明を適用した例を説明したが、これに限定されるものではない。本発明は、液体を噴射する液体噴射ヘッドのノズル形成面を払拭部材で払拭する構成のものであれば、例えば、液晶ディスプレイ等のカラーフィルターの製造に用いられる色材噴射ヘッド、有機ＥＬ（Electro Luminescence）ディスプレイ、ＦＥＤ（面発光ディスプレイ）等の電極形成に用いられる電極材噴射ヘッド、バイオチップ（生物化学素子）の製造に用いられる生体有機物噴射ヘッド等のノズル形成面にも適用することができる。
【符号の説明】
【００９６】
１…プリンター，２…記録ヘッド，３…キャリッジ，４…ガイドロッド，５…プラテン，６…キャッピング機構，７…ワイピング機構，８…キャップ，９…ワイパー，１１…プリンターコントローラー，１２…インターフェース部，１３…ＣＰＵ，１４…記憶部，１５…駆動信号発生回路，１６…ヘッドコントローラー，１７…紙送り機構，１８…キャリッジ移動機構，２２…固定板，２３…ノズル形成面，２４…ノズルプレート，２５…連通基板，２６…アクチュエーターユニット，２７…コンプライアンス基板，２８…ケース，３０…ノズル，３１…圧力室形成基板，３２…圧電素子，３３…圧力室，３４…封止板，３６…駆動回路，３７…配線基板，３８…配線空部，３９…ノズル連通口，４０…供給口，４１…振動板，４２…収容空間，４３…共通液室，４４…ノズル列，４５…貫通開口，４６…貫通口，４７…可撓フィルム，４８…保持版，４９…コンプライアンス開口，５０…コンプライアンス空間，５１…充填材，５２…収容空部，５３…導入口，５４…液室空部，５６…第１ノズル部，５７…第２ノズル部，５９…保護膜，６０…撥液膜，６２…トラップ孔，６３…固形成分，６５…レール，６６…ユニット本体，６７…第１ロール，６８…第２ロール，６９…第１軸，７０…第２軸，７１…押圧ローラー，７２…遊転軸，７３…挿通口，７５…溝，７６…凹部，７８…開口部，７９…吸収材
【図１】
2019025768.tif 000003
【図２】
2019025768.tif 000004
【図３】
2019025768.tif 000005
【図４】
2019025768.tif 000006
【図５】
2019025768.tif 000007
【図６】
2019025768.tif 000008
【図７】
2019025768.tif 000009
【図８】
2019025768.tif 000010
【図９】
2019025768.tif 000011
【図１０】
2019025768.tif 000012
【図１１】
2019025768.tif 000013
【図１２】
2019025768.tif 000014
【図１３】
2019025768.tif 000015
【図１４】
2019025768.tif 000016
【図１５】
2019025768.tif 000017
【図１６】
2019025768.tif 000018
【図１７】
2019025768.tif 000019
【図１８】
2019025768.tif 000020
【図１９】
2019025768.tif 000021